(57)【要約】【課題】食べ物が取りやすく、食事中の雰囲気を盛り立てる回転プレート構造を提供する。【解決手段】回転プレート構造は、中華テーブルに応用し、上蓋は内環壁の凹槽にボールを容納し、底面に強化リブを有して構造強度を強化し、外環壁上に数個のLEDランプを有し、上蓋は運転機構を有して帯動摩擦運転し、基板上に連結された圧縮弾性素子により運転機構を下蓋に靠れさせ、嵌設素子が下蓋の凸縁下端に伸入して、上蓋が搬動時に滑脱せず、全体の電源は電池により供給される。このような素子により回転プレートを形成し、常態下で、上蓋は緩慢に回転し、使用者がタッチ式感応金属薄片に触れると上蓋は回転を停止する。一定時間停止した後、上蓋は再度回転し始め、回転時、LEDランプが発光する。【選択図】図２
0003121712.tif 000002
【実用新案登録請求の範囲】
【請求項１】
回転プレート構造であって、主に、中華テーブルに用い、上蓋と下蓋からなり、
前記上蓋は円盤物で、正面は滑らかな表面であり、底面は内、外環壁が凸伸し、前記内環壁上に凹槽を有し、ボールを容納し、前記上蓋の底面に強化リブを形成して、構造強度を強化し、前記外環壁上にLEDランプを有し、電源線により回路板と連結し、前記上蓋底面は複数の運転機構を有し、その間は電源線と回路板により連結され、前記運転機構は基板を有し、その上にモーターを有して、減速回転盤ユニットを帯動し運転を減速させ、前記減速回転盤上に摩擦輪を有して、下蓋と摩擦し、前記上蓋を駆動回転させ、前記基板上に圧縮弾性素子を連結し、ねじで固定され、前記運転機構は前記下蓋に靠れ、前記運転機構は擺動空間を有し、前記ねじによりスリーブに設置され、更に、前記基板を穿設した後、前記上蓋底面上に鎖固され、前記運転機構の摩擦が円滑に行われ、前記上蓋底面の辺縁に近接する場所に嵌設素子を有し、前記嵌設素子は前記下蓋の凸縁下端に伸入し、前記上蓋が搬動時に滑脱しないようにし、前記上蓋中央に小円蓋を有し、前記上蓋の中孔と丁度嵌合し、その下に電池を有し、前記電源線と回路板により連結され、前記上蓋の外環壁外縁にタッチ式感応金属薄片を貼設し、且つ、前記回路板と連接し、前記上蓋は回転を停止し、
前記下蓋は円盤座で、底面中央な内凹し、ねじで前記上蓋と螺合し、前記下蓋外縁は凸縁を外伸し、
前述の素子により回転プレートを形成し、常態下で前記上蓋は緩慢に回転し、使用者が前記感応金属薄片に接触すると、前記上蓋は回転を停止し、前記上蓋上の食べ物が取りやすく、一定時間停止後、前記上蓋はまた回転し始め、回転時、前記LEDランプは発光し、楽しい食事時間を提供することができることを特徴とする回転プレート構造。
【請求項２】
前記上蓋は円盤物で、電力がない状況下で、前記上蓋は手で推動して使用でき、便利であることを特徴とする請求項１に記載の回転プレート構造。
【請求項３】
前記上蓋底面は運転機構を有し、その間は前記電源線と前記回路板で連結され、前記運転機構は少なくとも一組以上を設置して回転させるのに用いることを特徴とする請求項１に記載の回転プレート構造。
【請求項４】
前記上蓋の外環壁外縁にタッチ式感応金属薄片を貼設し、前記回路板と連接され、使用者がタッチしやすく、また、前記感応薄片は金属線により代替できることを特徴とする請求項１に記載の回転プレート構造。
【請求項５】
前記上蓋は電池を有し、前記電源線と前記回路板により連結され、前記回路板は外部電源供給器を設けて電池を充電するか、或いは、外部電源として使用することを特徴とする請求項１に記載の回転プレート構造。
【考案の詳細な説明】
【技術分野】
【０００１】
本考案は、回転プレート構造に関するものであって、特に、中華テーブルに用いる回転盤の構造に関するものである。
【背景技術】
【０００２】
公知の中華テーブルの回転プレートは手動で回転させて食事の取り分けを便利にするものであるが、回転プレートの品質は一定ではなく、使用上不便である。また、その形態は非常に普通で、食事中の雰囲気を増す効果がない。よって、自動回転し、LEDランプが発光する回転プレートがあれば、食事中の雰囲気を盛り立てることができる。
【考案の開示】
【考案が解決しようとする課題】
【０００３】
本考案は回転プレート構造を提供し、上述の問題を解決することを目的とする。
【課題を解決するための手段】
【０００４】
本考案の回転プレート構造は、上蓋と下蓋からなり、使用者がタッチ感応金属薄片に接触する時、回転する上蓋は回転を停止し、上蓋が回転時、LEDランプが発光する。
【考案の効果】
【０００５】
本考案の中華式テーブルの回転プレートは、自動回転し、LEDランプが発光するので、食事中の楽しみが増え、雰囲気作りにもよい。
【考案を実施するための最良の形態】
【０００６】
図１〜図４は本考案の回転プレート構造を示す図で、主に、中華テーブルに使用し、上蓋１と下蓋１６からなる。
【０００７】
上蓋１は正面が滑らかな表面で、底面は内、外環壁２、３を凸伸し、内環壁２上に凹槽４を有し、ボール５を容納している。上蓋１の底面に強化リブ６を形成して、上蓋１の構造強度を強化している。外環壁３上にLEDランプ７を有し、電源線８により上蓋１底面に設けられた回路板９と連結する。上蓋１底面は複数の運転機構１０を有し、その間は電源線８と回路板９により連結される。運転機構１０は基板１１を有し（図６〜図８で示される）、その上にモーター１２を有して、減速回転盤ユニット１３を帯動し運転を減速させる。減速回転盤１４上に摩擦輪１５を有して、下蓋１６と摩擦し、上蓋１を駆動回転させる。基板１上に圧縮弾性素子１７を連結し、ねじ２８で固定され、運転機構１０は下蓋１６に靠れる。運転機構１０は擺動空間を有し、ねじ１８によりスリーブ１９に設置され、更に、基板１１を穿設した後、上蓋１底面上に鎖固され、運転機構１０の摩擦が円滑に行われる。上蓋１底面の辺縁に近接する場所に嵌設素子２０を有し、ねじ２１により鎖固され、この嵌設素子２０は下蓋１６の凸縁２２下端に伸入し、上蓋１が搬動時に滑脱しないようにする。上蓋１中央に小円蓋２３を有し、上蓋１の中孔２４と丁度嵌合する。その下に電池２５を有し、電源線８と回路板９により連結され、上蓋１の外環壁３外縁にタッチ式感応金属薄片２９、或いは、金属線を貼設し、且つ、回路板９と連接する。常態下で、上蓋１は緩慢に回転し、使用者が感応金属薄片２９に触れると、上蓋１は回転を停止し、上蓋１上の食べ物が取りやすい。一定時間停止後、上蓋１はまた回転し始め、回転時、LEDランプ７は発光し、楽しい食事時間を提供する。回路板９は外部電源供給器を設け、電池２５の充電をするか、外部電源として使用する。この他、電力がない状況下で、上蓋１は手で推動して使用でき、便利である。
【０００８】
下蓋１６は円盤座で、底面中央な内凹し、ねじ２６で上蓋１と螺合し、下蓋外縁は凸縁２２を外伸する。
【０００９】
図２、図５、図７、及び、図８で示されるように、本考案は主に、中華テーブルに用いる回転プレートで、実施時、上蓋１底面の内環壁２の凹槽４はボール５を容納し、上蓋１底面の強化リブ６は構造強度を強化する。外環壁３上に複数のLEDランプ７を有し、上蓋１上の運転機構１０は減速回転ユニット１３を帯動して減速運転し、下蓋１６と摩擦して上蓋１を駆動回転させる。基板１上に連結された圧縮弾性素子１７を利用し、運転機構１０は下蓋１６に靠れ、上蓋１と下蓋１６の蓋合後、嵌合素子２０により下蓋１６の凸縁２２下端に伸入し、上蓋１が搬動時、滑脱しない。全体の電源は電池２５により供給され、常態下で、上蓋１は緩慢に回転し、使用者が感応金属薄片２９に接触すると、上蓋１は回転を停止し、上蓋１上の食べ物が取りやすい。一定時間停止後、上蓋１はまた回転し始め、回転時、LEDランプ７は発光し、楽しい食事時間を提供する。回路板９は外部電源を設け、電池２５の充電をするか、外部電源として使用する。  
【００１０】
この他、電力がない状況下で、上蓋１は手で推動して使用でき、便利である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の組み立て立体底面図である。
【図２】本考案の上蓋底面図である。
【図３】本考案の電池位置図である。
【図４】本考案の上蓋動作実施例図である。
【図５】本考案の作動断面図である。
【図６】本考案の運転機構図である。
【図７】本考案の運転機構動作実施例図である。
【図８】本考案の運転機構の圧縮弾性素子動作実施例図である。
【符号の説明】
【００１３】
１    上蓋
２    内環壁
３    外環壁
４    凹槽
５    ボール
６    強化リブ
７    LEDランプ
８    電源線
９    回路板
１０  運転機構
１１  基板
１２  モーター
１３  減速回転盤ユニット
１４  減速回転盤
１５  摩擦輪
１６  下蓋
１７  圧縮弾性素子
１８  ねじ
１９  スリーブ
２０  嵌合素子
２１  ねじ
２２  凸縁
２３  小円蓋
２４  中孔
２５  電池
２６  ねじ
２７  回転プレート
２８  ねじ
【図１】
0003121712.tif 000003
【図２】
0003121712.tif 000004
【図３】
0003121712.tif 000005
【図４】
0003121712.tif 000006
【図５】
0003121712.tif 000007
【図６】
0003121712.tif 000008
【図７】
0003121712.tif 000009
【図８】
0003121712.tif 000010